(57)【要約】【課題】尿石の発生をより確実に抑制し、尿石による詰まりを防止することができる小便器用排水トラップ及びこれを備えた小便器を提供する。【解決手段】小便器用排水トラップ２０は、小便器の便鉢部１１の下端部に配置し、水封部２１を形成する。水封部２１内に収納し、この水封部２１内に滞留する尿中に含まれる尿素から分離されたアンモニアと錯体を形成する金属、又は金属化合物を表面に露出した制菌剤３０を備えている。【選択図】図２
2012188866.tif 000002
【特許請求の範囲】
【請求項１】
小便器の便鉢部の下端部に配置し、水封部を形成する小便器用排水トラップであって、
前記水封部内に収納し、この水封部内に滞留する尿中に含まれる尿素から分離されたアンモニアと錯体を形成する金属、又は金属化合物を表面に露出した制菌剤を備えていることを特徴とする小便器用排水トラップ。
【請求項２】
前記制菌剤は表面を前記金属、又は前記金属化合物のみから形成していることを特徴とする請求項１の小便器用排水トラップ。
【請求項３】
前記制菌剤は前記水封部から取出し自在に収納していることを特徴とする請求項１又は２記載の小便器用排水トラップ。
【請求項４】
小便器の便鉢部の下端部に着脱自在に取り付けられることを特徴とする請求項１乃至３のいずれか１項記載の小便器用排水トラップ。
【請求項５】
請求項１乃至４のいずれか１項記載の小便器用排水トラップを備え、非水洗式であることを特徴とする小便器。
【発明の詳細な説明】
【技術分野】
【０００１】
本発明は小便器用排水トラップ及びこれを備えた小便器に関する。
【背景技術】
【０００２】
特許文献１には従来の小便器用排水トラップが開示されている。この小便器用排水トラップは小便器の便鉢部の下端部に着脱自在に取り付けることができるカートリッジ形態に形成されている。この小便器用排水トラップは上壁部を有している。この上壁部は流入口を貫設している。この流入口を通じて、便鉢部の表面に沿って流下し、上壁部の上面に流れ込んだ尿が排水トラップ内に流入する。また、この小便器用排水トラップはこの上壁部より上方に設けられた保持部材を有している。この保持部材はクエン酸等を含む薬剤を保持している。この小便器用排水トラップは、保持部材に保持された薬剤が溶解して小便器排水トラップの水封部内に流入する。これにより、水封部内の液性が酸性に維持される。このため、水封部内の液性がアルカリ性になることによって尿中に溶解していたカルシウムイオンが難溶性カルシウム化合物（尿石）に変質することを抑制することができる。
【０００３】
また、特許文献２には尿石の発生を抑制することができるセラミックスボールが開示されている。このセラミックスボールは、アルカリ金属及びアルカリ土類金属をシリカ及びアルミナの骨格の隙間に担持し、アルカリ金属及びアルカリ土類金属を露出しつつ、その表面に酸化銀を薄く固定している。このセラミックスボールは、露出したアルカリ金属及びアルカリ土類金属が尿のｐＨを上昇させ、尿素を能動的にアンモニアに変える。さらに、このセラミックスボールはアンモニアが酸化銀に反応することによって形成された錯体を吸着する。このようにして、このセラミックスボールはアンモニアを除去することができる。このため、尿石の発生を抑制することができる。このセラミックスボールは、プラスチック製の籠の中に充填され、この籠を小便器の便鉢部内に吊るして利用することができる。
【先行技術文献】
【特許文献】
【０００４】
【特許文献１】特表２００７−５１８００５号公報
【特許文献２】特開２００４−３０７２４５号公報
【発明の概要】
【発明が解決しようとする課題】
【０００５】
しかし、特許文献１の小便器用排水トラップでは、薬剤の溶解速度が速いため、薬剤を頻繁に補充する必要がある。また、特許文献２のセラミックスボールでは、このセラミックスボールを充填した籠を小便器の便鉢部内に吊るして利用した場合、尿がセラミックスボールの表面を一時的に通過してしまう。このため、セラミックスボールによって、尿素をアンモニアに変え、そのアンモニアを酸化銀に反応させて形成される錯体は僅かである。よって、セラミックスボールを充填した籠の下方（下流側）において尿石の発生の抑制が不充分になるおそれがある。また、このセラミックスボールでは、酸化銀がセラミックスボールの表面に薄く固定されているだけであるため、溶出することができる銀イオン量が少ない。このため、反応するアンモニアの量が制限されてしまい、セラミックスボールを頻繁に交換する必要がある。
【０００６】
本発明は、上記従来の実情に鑑みてなされたものであって、尿石の発生をより確実に抑制し、尿石による詰まりを防止することができる小便器用排水トラップ及びこれを備えた小便器を提供することを解決すべき課題としている。
【課題を解決するための手段】
【０００７】
本発明の小便器用排水トラップは、小便器の便鉢部の下端部に配置し、水封部を形成する小便器用排水トラップであって、
前記水封部内に収納し、この水封部内に滞留する尿中に含まれる尿素から分離されたアンモニアと錯体を形成する金属、又は金属化合物を表面に露出した制菌剤を備えていることを特徴とする。
【０００８】
この小便器用排水トラップでは、水封部内に生息する細菌から分泌されるウレアーゼ酵素により、水封部内に滞留する尿中に含まれる尿素からアンモニアが分離されるため、水封部内はアンモニア水溶液が貯留されることになる。制菌剤を構成するアンモニアと錯体を形成する金属、又は金属化合物は、水に溶けにくい性質を有するが、水封部内に収納されているため、常時、アンモニア水溶液中に浸漬した状態になり、徐々に溶解させることができる。このため、水封部内のアンモニアは、制菌剤から溶出した金属イオンに反応して、錯体（金属錯イオン）を形成する。よって、水封部内のｐＨの上昇が抑えられ、尿石の発生を抑制することができる。
【０００９】
また、金属錯イオンは、殺菌性を有するため、水封部内の細菌の繁殖を抑制することができる。このため、尿中に含まれる尿素から分離されるアンモニアを少なくするとともに、細菌の繁殖による生物膜の生成を抑制することができる。よって、水封部内のｐＨの上昇を抑制し、尿石の発生を抑制することができる。また、生物膜は水封部内の尿石による詰まりを加速させるものであるため、生物膜の生成を抑制することにより詰まりを防止することができる。
【００１０】
したがって、本発明の小便器用排水トラップは、尿石の発生をより確実に抑制し、尿石による詰まりを防止することができる。
【００１１】
また、この小便器用排水トラップは、制菌剤から金属イオンを溶出する際に電気エネルギーを利用しないため、電気配線などを必要とせず、容易に小便器に適用することができる。また、この小便器用排水トラップを備えた小便器を清掃する際に酸性洗剤やアルカリ性洗剤を利用しても、金属、又は金属化合物を表面に露出した制菌剤は、何ら影響を受けないか、溶解が早まる程度である。このため、この小便器用排水トラップは、小便器の清掃に利用することができる洗剤の制約が少ないとともに、尿石の発生を確実に抑制し、尿石による詰まりを防止することができる。
【００１２】
前記制菌剤は表面を前記金属、又は前記金属化合物のみから形成し得る。この場合、制菌剤から溶解し得る金属イオンを多くすることができる。このため、より多くのアンモニアと錯体を形成することができるため、尿石による詰まりを防止しつつ、制菌剤の寿命を長くすることができる。
【００１３】
前記制菌剤は前記水封部から取出し自在に収納し得る。この場合、制菌剤の交換を容易に行うことができる。
【００１４】
小便器の便鉢部の下端部に着脱自在に取り付けられ得る。この場合、小便器用排水トラップを容易に交換することができる。
【００１５】
本発明の小便器は、上記小便器用排水トラップを備え、非水洗式であることを特徴とする。この小便器は、その排水トラップにおいて上述した効果を奏することができる。
【図面の簡単な説明】
【００１６】
【図１】実施例１の小便器を示す部分断面図である。
【図２】実施例１の小便器用排水トラップを示す断面図である。
【図３】実施例２の小便器を示す部分断面図である。
【図４】実施例３の小便器用排水トラップを示す断面図である。
【発明を実施するための形態】
【００１７】
本発明の小便器用排水トラップを備えた小便器を具体化した実施例１〜３を図面を参照しつつ説明する。
【００１８】
＜実施例１＞
実施例１の小便器は、図１及び図２に示すように、非水洗式であり、便鉢部１１を有する便器本体１０と、便鉢部１１の下端部に配置した小便器用排水トラップ２０とを備えている。小便器用排水トラップ２０は水封部２１を形成している。また、小便器用排水トラップ２０はカートリッジ形態に形成されている。
【００１９】
便器本体１０は壁面Ｗに係止して固定する壁掛タイプである。便器本体１０は便鉢部１０の下端部に垂直方向に貫通した開口部１２を有している。また、便器本体１０は、開口部１２に取り付けられ、底部を有し、上方に向けて開口した略円筒形状の収納容器１３を有している。収納容器１３は小便器用排水トラップ２０を収納することができる。
【００２０】
収納容器１３は上端部に係止部材１４を連結している。係止部材１４は、収納容器１３の上端開口から上方に延びた円筒形状の連結部１４Ａと、連結部１４Ａの上端から連続して外側に拡がるリング形状の鍔部１４Ｂとを有している。収納容器１３は、係止部材１４の外側面にパッキン１５が外嵌され、開口部１２に上方から挿入されている。係止部材１４の鍔部１４Ｂが開口部１２の周縁部の上面に係止している。
【００２１】
収納容器１３は外側面の上部に螺子部が形成されている。この螺子部にナット部材１６がねじ込まれている。これにより、係止部材１４の鍔部１４Ｂと、ナット部材１６とにより開口部１２の周縁部を挟持し、収納容器１３は開口部１２に取り付けられている。収納容器１３は下端部から後方（図１及び図２における左方向）に延びる連結管部１７を有している。連結管部１７は壁面Ｗに引き出された排水管１に連結されている。
【００２２】
収納容器１３は内側面の上下方向の中間部に形成した係止凹部１３Ａを有している。係止凹部１３Ａは、後述する小便器用排水トラップ２０の本体部２２の側壁部２２Ａに設けられた係止凸部２２Ｆを係止することができる。つまり、収納容器１３内に挿入した小便器用排水トラップ２０を軸周りに所定の角度回転させることにより、係止凸部２２Ｆを係止凹部１３Ａに係止することができる。このように、小便器用排水トラップ２０は収納容器１３に対して、着脱自在に取り付けることができる。このため、この小便器用排水トラップ２０は容易に交換することができる。
【００２３】
カートリッジ形態に形成された小便器用排水トラップ２０は、上壁部を形成する蓋部材２３と、本体部２２とを有している。また、小便器用排水トラップ２０は、水封部２１内に収納した制菌剤３０を有している。制菌剤３０は、スティック部材３１の先端部に設けられており、銅、銀、ニッケル、亜鉛等のアンモニアと錯体を形成する金属、又は、これら金属の金属化合物（例えば、酸化銀、塩化銀等）のみから形成され、これら金属、又は金属化合物が表面に露出するように形成されている。
【００２４】
蓋部材２３は外形が円形状である。蓋部材２３は、収納容器１３の係止部材１４により形成された開口、すなわち、便鉢部１１の下端部に設けられた開口に嵌まり込んでいる。蓋部材２３は制菌剤３０が先端部に設けられたスティック部材３１を挿通することができる垂直方向に貫設した貫通孔２３Ｂを有している。スティック部材３１を貫通孔２３Ｂの上方から挿通することによって、制菌剤３０を水封部２１内に収納することができる。また、スティック部材３１は貫通孔２３Ｂに抜き差し自在である。このため、制菌剤３０は水封部２１から取出し自在に収納することができ、制菌剤３０の交換を容易に行うことができる。
【００２５】
蓋部材２３は、外周端面に環状凹部が形成されており、この環状凹部にパッキンＰが嵌め込まれている。このため、係止部材１４により形成された開口の内側面と蓋部材２３の外周端面とは水密状に接合されている。よって、便器本体１０の便鉢部１１の表面に沿って流下した尿は蓋部材２３の上面に流れ込む。蓋部材２３は垂直方向に貫設した流入口２３Ａを有している。蓋部材２３の上面に流れ込んだ尿はこの流入口２３Ａから小便器用排水トラップ２０内に流入する。
【００２６】
蓋部材２３は、外周部より内側に設けられ、下方に延びる隔壁部２４を有している。隔壁部２４は蓋部材２３と同軸上に形成された円筒形状である。また、隔壁部２４は、上端が蓋部材２３の中央部によって閉鎖されており、下端が本体部２２の底部２２Ｂとの間に間隔を有し、開口している。流入口２３Ａは隔壁部２４の外側面に沿って複数に分割された円弧形状に形成されている。
【００２７】
隔壁部２４は下端から外側に向けて延びたリング形状の連結部２５を有している。連結部２５は外周縁部から上方に延びた円筒形状の折返し部２６を有している。折返し部２６は隔壁部２４と一定の間隔を有している。また、折返し部２６は隔壁部２４と側壁部２２Ａとの間の中央位置に設けられている。つまり、折返し部２６、隔壁部２４及び本体部２２の側壁部２２Ａは同軸上に配置されている。また、折返し部２６は、上端が後述するシール層Ｓの下面よりも下方であり、かつ連結部２５の外周縁部とシール層Ｓの上面との間の中央高さよりも上方に位置するように形成されている。
【００２８】
本体部２２は、側壁部２２Ａ、側壁部２２Ａの下端部に連続した底壁部２２Ｂ、底壁部２２Ｂの一部を開口した流出口２２Ｃ、及び流出口２２Ｃに連通し、本体部２２内に立ち上がった流出管２２Ｄを有している。側壁部２２Ａは、円筒形状であり、上端部が蓋部材２３の外周縁部の下部に隙間なく接着されている。側壁部２２Ａの外側面の中間部には複数の係止凸部２２Ｆが形成されている。上述したように、係止凸部２２Ｆが収納容器１３の内側面に形成された係止凹部１３Ａに係止することにより、カートリッジ形態の小便器用排水トラップ２０は収納容器１３内に着脱自在に取り付けられている。
【００２９】
本体部２２は、内部を連結部２５より下方で連通しつつ、隔壁部２４によって隔壁部２４の内側と外側とに区画されている。隔壁部２４より外側の水封部２１内に非溶水性であり、尿よりも比重が軽いシール液が注入されている。このため、隔壁部２４より外側の水封部２１内に貯留された尿よりも上方にシール層Ｓが形成されている。シール層Ｓは水封部２１内に貯留された尿から生じる臭気が流入口２３Ａから外部に発散することを防止することができる。
【００３０】
流出管２２Ｄは隔壁部２４内に立ちあがっている。これにより、小便器用排水トラップ２０は尿が滞留する水封部２１を形成している。流出管２２Ｄは上端開口２２Ｅを折返し部２６の上端より上方に開口している。流出管２２Ｄは半円筒形状に形成され、円弧形状の外側面が隔壁部２４の内側面に接している。つまり、流出管２２Ｄは平面視で隔壁部２４内の一方に偏った位置に配置されている。
【００３１】
流出管２２Ｄの下部は、本体部２２の底部２２Ｂに沿って側壁部２２Ａ方向に屈曲している。本体部２２は、流出管２２Ｄの下流端における底部２２Ｂに排出口２２Ｃを貫設している。この排出口２２Ｃが収納容器１３の連結管１７の上流部に臨む位置になるよう小便器用排水トラップ２０は収納容器１３に取り付けられている。
【００３２】
このような構成を有する小便器では、使用者が便鉢部１１に向かって小便をすると、尿が便鉢部１１の表面に沿って流下し、蓋部材２３の上面に流れ込む。蓋部材２３の上面に流れ込んだ尿は流入口２３Ａから小便器用排水トラップ２０内に流入する。すると、尿はシール層Ｓを突き抜けて上方から隔壁部２４と折返し部２６との間に流入する。隔壁部２４、連結部２５及び折返し部２６に囲まれた領域において、尿は下降から上昇に転じる対流を生じつつ、折返し部２６の上端を乗り越えて折返し部２６より外側に流れる。折返し部２６の上端を乗り越えた尿は、折返し部２６と側壁部２２Ａとの間を下降し、連結部２５の下方を流れ、隔壁部２４の内側を上昇して、流出管２２Ｄの上端開口２２Ｅから流出管２２Ｄ内に流出し、排出口２２Ｃから排出される。
【００３３】
尿が流入口２３Ａから小便器用排水トラップ２０内に流入しなくなると、水封部２１内に尿が滞留する。水封部２１内に生息する細菌から分泌されるウレアーゼ酵素により、水封部２１内に滞留する尿中に含まれる尿素からアンモニアが分離される。このため、水封部２１はアンモニア水溶液を貯留することになる。また、制菌剤３０は、水に溶けにくい性質を有するが、水封部２１内に収納されているため、常時、アンモニア水溶液中に浸漬した状態になり、徐々に溶解する。このため、水封部２１内のアンモニアは、制菌剤３０から溶出した金属イオンに反応して、錯体（金属錯イオン）を形成する。よって、水封部２１内のｐＨの上昇が抑えられ、尿石の発生を抑制することができる。
【００３４】
また、金属錯イオンは、殺菌性を有するため、水封部２１内の細菌の繁殖を抑制することができる。このため、尿中に含まれる尿素から分離されるアンモニアを少なくするとともに、細菌の繁殖による生物膜の生成を抑制することができる。よって、水封部２１内のｐＨの上昇を抑制し、尿石の発生を抑制することができる。また、生物膜は水封部２１内の尿石による詰まりを加速させるものであるため、生物膜の生成を抑制することにより詰まりを防止することができる。
【００３５】
したがって、実施例１の小便器用排水トラップ２０を備えた小便器は、尿石の発生をより確実に抑制し、尿石による詰まりを防止することができる。
【００３６】
また、この小便器用排水トラップ２０は、制菌剤３０から金属イオンを溶出する際に電気エネルギーを利用しないため、電気配線などを必要とせず、容易に小便器に適用することができる。また、この小便器用排水トラップ２０を備えた小便器を清掃する際に酸性洗剤やアルカリ性洗剤が利用されても、金属、又は金属化合物を表面に露出した制菌剤３０は、何ら影響を受けないか、溶解が早まる程度である。このため、この小便器の清掃に利用することができる洗剤の制約が少ないとともに、尿石の発生を確実に抑制し、尿石による詰まりを防止することができる。
【００３７】
また、制菌剤３０は表面をアンモニアと錯体を形成する金属、又は金属化合物のみから形成しているため、金属、又は金属化合物から溶解し得る金属イオンを多くすることができる。このため、より多くのアンモニアと錯体を形成することができるため、制菌剤３０の寿命を長くすることができる。
【００３８】
＜実施例２＞
実施例２の小便器は、図３に示すように、水洗式である。また、小便器用排水トラップ２０は水封部２１内にシール層Ｓを有していない。実施例２の小便器はこれらの点で実施例１と相違する。他の構成は実施例１と同様であり、同一の構成は同一の符号を付し、詳細な説明を省略する。
【００３９】
この小便器は押しボタン式の便器洗浄装置６０を有している。小便器の使用者は、便鉢部１１に向かって小便をした後、便器洗浄装置６０の押しボタン６１を押す。これによって、便器洗浄装置６０が駆動し、便器洗浄が実行される。便器洗浄が実行されると、洗浄水が便鉢部１１の上部から表面に沿って流下する。洗浄水は、蓋部材２３の上面に流れ込み、蓋部材２３の流入口２３Ａから小便器用排水トラップ２０内に流入する。このため、先に水封部２１内に流入した尿を後から流入した洗浄水によって小便器用排水トラップ２０の排出口２２Ｃから排出することができる。しかし、水封部２１内が完全に洗浄水に置き換わることはなく、尿を希釈した洗浄水が水封部２１内に貯留される。
【００４０】
水封部２１内の洗浄水に希釈され、残留する尿中に含まれる尿素からも水封部２１内に生息する細菌から分泌されるウレアーゼ酵素により、アンモニアが分離される。このアンモニアは、制菌剤３０から溶出した金属イオンに反応し、錯体（金属錯イオン）を形成することになる。これによって、水封部２１内のｐＨの上昇が抑えられ、尿石の発生を抑制することができる。
【００４１】
また、金属錯イオンは、殺菌性を有するため、水封部２１内の細菌の繁殖を抑制することができる。このため、尿中に含まれる尿素から分離されるアンモニアを少なくするとともに、細菌の繁殖による生物膜の生成を抑制することができる。よって、水封部２１内のｐＨの上昇を抑制し、尿石の発生を抑制することができる。また、生物膜は水封部２１内の尿石による詰まりを加速させるものであるため、生物膜の生成を抑制することにより詰まりを防止することができる。
【００４２】
したがって、実施例２の小便器用排水トラップ２０を備えた小便器も、尿石の発生をより確実に抑制し、尿石による詰まりを防止することができる。
【００４３】
また、押しボタン式の便器洗浄装置６０であるため、小便後に使用者が押しボタン６１を押し忘れてしまうおそれがある。この場合、水封部２１内に貯留される尿が増加するため、尿石の発生が増加する危惧が生じる。しかし、制菌剤３０から溶出した金属イオンが尿中に含まれる尿素から分離されたアンモニアに確実に反応し、錯体（金属錯イオン）を形成するため、水封部２１内のｐＨの上昇が抑えられ、尿石の発生を抑制することができる。
【００４４】
＜実施例３＞
実施例３の小便器は、図４に示すように、球形状の制菌剤８０が小便器用排水トラップ７０の水封部２１内に投入され、収納されている。また、蓋部材７３は、流入口２３Ａが貫設されているのみであり、他の貫通孔（実施例１における貫通孔２３Ｂ）は貫設されていない。実施例３の小便器は、これらの点で実施例１に相違する。他の構成は実施例１と同様であり、同一の構成は同一の符号を付し、詳細な説明を省略する。
【００４５】
制菌剤８０は、銅、銀、ニッケル、亜鉛等のアンモニアと錯体を形成する金属、又は、これら金属の金属化合物（例えば、酸化銀、塩化銀等）を球形状の核部材８０の表面にコーティングし、これら金属、又は金属化合物が表面に露出するように形成されている。
【００４６】
この小便器でも、制菌剤８０が水封部２１内に収納されているため、常時、アンモニア水溶液中に浸漬した状態になり、徐々に溶解する。このため、水封部２１内のアンモニアは、制菌剤８０から溶出した金属イオンに反応して、錯体（金属錯イオン）を形成する。よって、水封部２１内のｐＨの上昇が抑えられ、尿石の発生を抑制することができる。
【００４７】
また、金属錯イオンは、殺菌性を有するため、水封部２１内の細菌の繁殖を抑制することができる。このため、尿中に含まれる尿素から分離されるアンモニアを少なくするとともに、細菌の繁殖による生物膜の生成を抑制することができる。よって、水封部２１内のｐＨの上昇を抑制し、尿石の発生を抑制することができる。また、生物膜は水封部２１内の尿石による詰まりを加速させるものであるため、生物膜の生成を抑制することにより詰まりを防止することができる。
【００４８】
したがって、実施例３の小便器用排水トラップ７０を備えた小便器も、尿石の発生をより確実に抑制し、尿石による詰まりを防止することができる。
【００４９】
本発明は上記記述及び図面によって説明した実施例に限定されるものではなく、例えば次のような実施例も本発明の技術的範囲に含まれる。
（１）実施例１〜３では、小便器用排水トラップをカートリッジ形態に形成し、小便器の便鉢部の下端部に着脱自在に取り付けたが、小便器用排水トラップは小便器本体に一体的に形成してもよい。
（２）実施例３では、制菌剤を核部材の表面にアンモニアと錯体を形成する金属、又は金属化合物にコーティングして形成したが、制菌剤をこれら金属、又は金属化合物のみから形成してもよい。
（３）制菌剤は銅や銀の貴金属地金で形成するとコストが高くなるため、アンモニアと錯体を形成する金属化合物で形成することが好ましい。また、難溶性塩といわれる塩化銀等を利用すると、溶解性が低いため制菌剤の長寿命化を図ることができる。
（４）実施例２では、小便器が押しボタン式の便器洗浄装置を有していたが、小便器の使用者を検知し、自動的に便器洗浄を実行する自動洗浄装置であってもよい。
（５）実施例１及び３では、小便器用排水トラップの水封部にシール層を形成しているが、水封部にシール層を形成しなくてもよい。
（６）実施例１〜３では、小便器用排水トラップは、隔壁部の下端に連続して形成された連結部及び折返し部を有しているが、連結部及び折返し部を有していなくてもよい。
（７）実施例１〜３では、小便器用排水トラップが椀型のトラップ形態であったが、Ｐ型等の他のトラップ形態であってもよい。
【符号の説明】
【００５０】
１１…便鉢部
２０、７０…小便器用排水トラップ
２１…水封部
３０、８０…制菌剤
【図１】
2012188866.tif 000003
【図２】
2012188866.tif 000004
【図３】
2012188866.tif 000005
【図４】
2012188866.tif 000006